(57)【要約】      （修正有）【課題】細かく粉砕した遠赤外線放射物質を、バインダーとしての樹脂に混合保持させることによって、微粒子の散逸を防止して繰り返し使用可能とした遠赤外線放射体を提供する。【解決手段】遠赤外線放射物質を１００〜３００メッシュの粒径に粉砕し、その粉砕微粒子３を樹脂層に含有させて平板状又は成形品とし、樹脂層２の一面側に金属薄膜層８を配置した。そして、その金属薄膜層として、金、銀、銅、アルミニウム、ニッケル、クロム、鉄、亜鉛、鉛、の内いずれか一種、またはこれらの合金を使用した。【選択図】図４
0003143067.tif 000002
【実用新案登録請求の範囲】
【請求項１】
遠赤外線放射物質を粉砕し、樹脂層によって保持したことを特徴とする遠赤外線放射体。
【請求項２】
遠赤外線放射物質を樹脂層に含有させて平板状又は成形品としたことを特徴とする請求項１記載の遠赤外線放射体。
【請求項３】
樹脂層の一面側に金属薄膜層を配置したことを特徴とする請求項又は２記載の遠赤外線放射体。
【請求項４】
樹脂層の一面側に面状発熱部を配置したことを特徴とする請求項２又は３記載の遠赤外線放射体。
【請求項５】
樹脂層に導電性を有する遠赤外線放射物質を混合して電気的抵抗体とし、荷電により発熱する機能を付与したことを特徴とする請求項２，３又は４記載の遠赤外線放射体。
【請求項６】
遠赤外線放射物質を１００〜３００メッシュの粒径に粉砕し、その粉砕した微粒子の混合割合を樹脂層重量の７０〜９０重量％としたことを特徴とする請求項２、３、４又は５記載の遠赤外線放射体。
【請求項７】
金属薄膜層として、金、銀、銅、アルミニウム、ニッケル、クロム、鉄、亜鉛、鉛、の内いずれか一種、またはこれらの合金を使用することを特徴とする請求項３記載の遠赤外線放射体。
【考案の詳細な説明】
【技術分野】
【０００１】
本考案は遠赤外線放射体に関する。
【背景技術】
【０００２】
従来、鉱石やセラミックは受熱により遠赤外線を放射することが知られており、この遠赤外線は温熱効果があることから、人体に放射すると、発汗や血行の促進、沈痛作用、代謝促進に効果があることが実証されている。
そして、これら鉱石やセラミックの粉砕微粒子を温熱用具として使用する特開２００３−７０８２２号公報記載の技術が提案されている。
【特許文献１】特開２００３−７０８２２号公報
【考案の開示】
【考案が解決しようとする課題】
【０００３】
しかしながら、前記特開２００３−７０８２２号公報記載の技術は、遠赤外線放射物質を携帯カイロに封入して使用する構成であるため、使用後は廃棄処分とされ、繰り返し利用できない。そのため、経済面または資源有効利用の観点から問題が残る。
また、鉱石やセラミックを粉砕した微粒子を袋に収容する構成であるため、その微粒子が袋の隙間から漏れるおそれがある。この粉漏れを防止するためには、密封するための特別の技術あるいは素材を使用しなければならず、コストを要するという問題があった。
本発明は係る従来の問題点を解決するためになされたものであって、その目的とするところは、細かく粉砕した遠赤外線放射物質を、バインダーとしての樹脂に混合保持させることによって、微粒子の散逸を防止して繰り返し使用可能とした遠赤外線放射体を提供することにある。
【課題を解決するための手段】
【０００４】
上記目的を達成するため、本考案の請求項１記載の遠赤外線放射体では、遠赤外線放射物質を粉砕し、樹脂層によって保持したことを特徴とする。
【０００５】
請求項２記載の遠赤外線放射体では、請求項１記載の遠赤外線放射体において、遠赤外線放射物質を樹脂層に含有させて平板状又は成形品としたことを特徴とする。
【０００６】
請求項３記載の遠赤外線放射体では、請求項２記載の遠赤外線放射体において、樹脂層の一面側に金属薄膜層を配置したことを特徴とする。
【０００７】
請求項４記載の遠赤外線放射体では、請求項２又は３記載の遠赤外線放射体において、樹脂層の一面側に面状発熱部を配置したことを特徴とする。
【０００８】
請求項５記載の遠赤外線放射体では、請求項２，３又は４記載の遠赤外線放射体において、樹脂層に導電性を有する遠赤外線放射物質を混合して電気的抵抗体とし、荷電により発熱する機能を付与したことを特徴とする。
【０００９】
請求項６記載の遠赤外線放射体では、請求項２、３、４又は５記載の遠赤外線放射体において、遠赤外線放射物質を１００〜３００メッシュの粒径に粉砕し、その粉砕した微粒子の混合割合を樹脂層重量の７０〜９０重量％としたことを特徴とする。
【００１０】
請求項７記載の遠赤外線放射体では、請求項３記載の遠赤外線放射体において、金属薄膜層として、金、銀、銅、アルミニウム、ニッケル、クロム、鉄、亜鉛、鉛、の内いずれか一種、またはこれらの合金を使用することを特徴とする。
【考案の効果】
【００１１】
本発明の遠赤外線放射体は、遠赤外線を放射する物質を多量に保持するので、人体に当接させることにより、生体組織を活性化し、血行や代謝を改善し、疲労回復、健康増進効果、ストレス解消効果をもたらす。
また、粉砕した微粒子を樹脂層によって保持するので、取り扱いが容易であり、しかも繰り返し利用することができる。
遠赤外線放射物質を樹脂層に含有させて平板状又は成形品とするので、樹脂の柔軟性により肌当たりも良く、人体の表面に確実に密着される。
そして、樹脂層の一面側に金属薄膜層を配置したので、遠赤外線は金属薄膜層に反射して外側に漏れず、人体方向に放射され、体温によって熱を受けた遠赤外線放射物質が人体を効率的に加温する。
【００１２】
樹脂層の一面側に面状発熱部を配置したので、荷電により面状発熱部から発生した熱は遠赤外線放射物質を加熱して、大量の遠赤外線を放射する。
さらに、樹脂層に導電性を有する遠赤外線放射物質を混合して電気的抵抗体とし、荷電により発熱する機能を付与したので、樹脂本体が発熱部となり、遠赤外線放射物質を加熱して、大量の遠赤外線を放射する。
そして、遠赤外線放射物質を１００〜３００メッシュの粒径に粉砕し、その粉砕した微粒子の混合割合を樹脂層重量の７０〜９０重量％としたので、樹脂内に大量の遠赤外線放射物質が含有される。
金属薄膜層としては、金、銀、銅、アルミニウム、ニッケル、クロム、鉄、亜鉛、鉛、の内いずれか一種、またはこれらの合金を使用するので、外側へ遠赤外線が漏れるのを確実に防止して、一面側へのみ遠赤外線が放射される。
【考案を実施するための最良の形態】
【００１３】
以下、図面に基づいて本考案の実施の形態を説明する。
本発明の遠赤外線放射体は、樹脂組成物に遠赤外線放射物質の微粒子を混合したものである。
遠赤外線放射物質とは、熱を受けるとその表面から遠赤外線を放射（輻射）しやすい物質をいう。例えば、セラミックス、炭素、ガラス、金属、天然鉱物等が挙げられ、これらから選ばれる少なくとも一種を好適に用いることができる。
【００１４】
遠赤外線を放射する天然鉱物としては、例えば、石英斑岩、花崗岩、珪石、白土、珪藻土、シリカブラック、パーライト、貢石、ゼオライト、粘土、カオリン、ベントナイト、水酸化マグネシウム、マグネサイト、マグネシア、水酸化カルシウム、石灰石、セッコウ、アパタイト、タルク、かんらん岩、コージェライト、セビオライト、ドロマイト、珪灰石、珪酸ジルコン、長石、赤泥、レンガ等が挙げられる。
【００１５】
遠赤外線セラミックとしては、例えば、酸化アルミニウム、酸化ベリリウム、酸化セリウム、酸化クロム、酸化コバルト、酸化鉄、酸化ニッケル、酸化ケイ素、酸化タンタル、酸化タリウム、酸化チタン、酸化バナジウム、酸化イットリウム、酸化亜鉛、酸化ジルコニウム、酸化マグネシウム、これらの２種以上を含む酸化物、ホウ化アルミニウム、ホウ化バリウム、ホウ化カルシウム、ホウ化セリウム、ホウ化ハフニウム、ホウ化ランタン、ホウ化ストロンチウム、ホウ化イットリウム等のホウ化物、窒化アルミニウム、窒化クロム、窒化ケイ素、窒化チタン等の窒化物、炭化ホウ素、炭化クロム、炭化ハフニウム、炭化モリブデン、炭化ケイ素、炭化タンタル、炭化タリウム、炭化タングステン、炭化イットリウム、炭化ジルコニウム等の炭化物等があげられ、これらからなる群から選ばれる少なくとも１種を好適に用いることができる。好ましくは、酸化アルミニウム、酸化チタン、酸化ジルコニウム、酸化マグネシウム、酸化クロム、酸化コバルト、酸化鉄、酸化ニッケル、酸化ケイ素等の酸化物が挙げられる。より好ましくは、酸化アルミニウム、酸化チタン、酸化ジルコニウム、酸化マグネシウム、酸化クロム、酸化鉄等が挙げられる。
【００１６】
本発明において、樹脂は特に限定されるものでないが、例えば、シリコンゴム、シリコンゴム変性体、シリコン樹脂、シリコン樹脂変性体等、ウレタンゴム、ブタジエンゴム、フッソゴム、フッソゴム変性体、フッソ樹脂、フッソ樹脂変性体等を挙げることができる。また、ラテックスゴム組成物として、スチレンブタジエンラテックス、天然ゴムラテックス、スチレンブタジエンラテックスと天然ゴムラテックス混合物、スチレンブタジエンラテックスと合成ゴムラテックス混合物、合成ゴムラテックスとして、イソプレンラテックス、クロロプレンラテックス、アクリロニトリルラテックス、ポリウレタンラテックス、エチレンプロピレンジエン共重合ラテックス等を用いることができる。
【００１７】
また、ポリオレフィン系ではポリエチレン、ポリプロピレン、ポリエチレン、ポリプロピレン複合体、ポリエチレン・ＥＰＤＭ複合体、ポリエチレン・ブチルゴム複合体、ポリプロピレン・ＥＰＤＭ複合体、ポリプロピレン・ブチルゴム複合体としてのポリエチレン系或いはポリプロピレン系の組成物ならびに架橋発泡組成物を用いることができる。また、ポリエチレン系では、最も好ましくは、メタロセン触媒で重合したポリエチレン弾性体がイオンを増幅するうえで有利である。ポリスチレン系では、ポリスチレン、スチレン・ブタジエン・スチレン共重合体、スチレン・イソプレン・スチレン共重合体、スチレン・ブタジエン・イソプレン・スチレン共重合体、アクリロニトリル・ブタジエン・スチレン共重合体等の組成物、並びに発泡組成物を用いることができる。スチレン系では、最も好ましくは、スチレン・ブタジエン・スチレン共重合体がイオンを増幅するうえで有利である。
【実施例１】
【００１８】
第１実施例に係る遠赤外線放射体は、図１に示す成分組成の爽気石を樹脂層に混合保持させたものである。
爽気石は酸化アルムニウムの含有量が多く、二酸化チタン、酸化カリウム等の微量元素を含有している。
爽気石を１００〜３００メッシュの微粒子にまで粉砕し、その粉砕した微粒子を樹脂基材と混合する。
爽気石の微粒子の混合割合は、全体重量に対して７０〜９０重量％の微粒子が混合されるようにする。例えば、樹脂基材１００重量部に対し、爽気石の微粒子４００重量部を配合する。
微粒子を樹脂基材に混合した後、均一に撹拌し固形化成形する。
形状は図２に示すように、長辺十数ｃｍ、短辺数ｃｍ、厚さ数ｍｍの平板状とする。
尚、形状は人体の当接部位に応じて、湾曲等の加工を施すことも可能である。
本実施例の遠赤外線放射体１は樹脂２内に、８０％前後の多量の遠赤外線放物資（微粒子３）を含有しており、しかも、樹脂特有のゴム状の柔軟性を備えているため、人体に直接接触させることができ、遠赤外線の効果により人体を加熱保温する。
尚、使用に際しては、遠赤外線放射体を直接人体に当接させる他、図３に示すポケット状の収容部４を備えたベルト５に遠赤外線放射体１を収容して、ベルトを腰、背中等に掛け渡して、両端の面ファスナー６を接着させて、必要な部位に装着することも可能である。
【実施例２】
【００１９】
次に、図４は第２実施例に係る遠赤外線放射体７である。
第２実施例に係る遠赤外線放射体７は、第１実施例で説明した樹脂組成物の片面に、金属薄膜層８を積層せしめたものである。かかる金属薄膜層８を形成する金属としては、金、銀、銅、アルミニウム、ニッケル、クロム、鉄、亜鉛、鉛などや、これらの合金などが使用されるが、性能、軽量性の面からアルミニウムが好ましく用いられる。
【００２０】
かかる金属薄膜層８は、樹脂組成物上に箔状にして積層されるが、圧延法により作製された箔を接着剤で貼着してもよいが、蒸着法、メッキ法、スパッタリング法などの薄膜形成方法により樹脂組成物上に被覆してもよい。また、蒸着等法については、一旦、別なシート、例えばフィルムに金属蒸着した後、金属薄膜層を接着剤を介して樹脂表面に転写することもできる。また、樹脂組成物上に箔状にして積層する際、一面側の全面に積層するが、部分的に積層する場合は熱放射率調整の面からシートの面積に対し、５０％以上の比率で形成するのが好ましい。
【００２１】
また金属薄膜層８は、樹脂特有の柔軟な風合いを維持するため、０．０２〜０．１μｍの範囲内の厚さにすることが好ましい。
本実施例の遠赤外線放射体７では、樹脂層を人体に面して当接させ、金属薄膜層８を外側とすることにより、遠赤外線は金属薄膜層８に反射して外側に漏れず、人体方向に放射され、体温によって熱を受けた遠赤外線放射物質が人体を効率的に加温する。
【実施例３】
【００２２】
次に、図５は第３実施例に係る遠赤外線放射体９である。
第３実施例に係る遠赤外線放射体９は、第２実施例で説明した樹脂層と金属薄膜層８との間に面状発熱部１０を配置したものである。
かかる、面状発熱部１０としては和紙・ポリエステル合成紙・グラスウール等のシートに導電性物質をコーティング印刷又は含浸させ、それら印刷又は含浸させたシートを電気的抵抗体として配設したものである。
このシートの両端には電極が接続され、電極に電流を通すと、面状発熱部が電気抵抗となり発熱する。
この際、供給する電圧は２４Ｖ程度の低いものでも温度４０℃〜６０℃に発熱させることができる。
また、電源は一般家庭用電源１００Ｖの高電圧のものから電池（乾電池）、小型バッテリなどの低電圧のものまで幅広く適宜選択して用いることができる。
【００２３】
前記面状発熱部１０は本体の一面側の全面に積層するが、前記電気的抵抗体（シート）を帯状として、所定間隔を開けて、樹脂表面に配設する他、導電性金属線を電気的抵抗体として樹脂表面に配設することも可能である。
本実施例の遠赤外線放射体では、樹脂層を人体に面して当接させ、金属薄膜層８を外側とすることにより、遠赤外線は金属薄膜層に反射して、人体方向に放射されるので、面状発熱部１０によって加熱された遠赤外線放射物質が人体を効率的に加温する。
【実施例４】
【００２４】
第４実施例に係る遠赤外線放射体は、第２実施例で説明した樹脂層に電気的発熱機能を付与したものである。
本実施例における発熱部は、カーボン粉末を合成樹脂液中に分散させたものである。
カーボンは遠赤外線を放射すると共に、導電性を備える物質である。
このカーボン粉末を樹脂層内に混合することにより、樹脂層自体が導電性を備える電気的抵抗体となり、電流を通すことにより発熱する機能を有する。
前記第３実施例と同様に、樹脂層を人体に面して当接させて、樹脂層自体に荷電することにより、発熱部によって加熱された遠赤外線放射物質からの遠赤外線は、金属薄膜層に反射して、人体方向に放射され、人体を効率的に加温する。
尚、前記カーボン粉末としては、この他にカーボン繊維、金属粉末、金属酸化物粉末等の導電性物質を樹脂層内に分散させても同一の作用・効果が得られる。
【００２５】
以上、本考案の面状発熱体を説明してきたが、具体的な構成については、本実施の形態に限られるものではなく、実用新案登録請求の範囲の各請求項に係る考案の要旨を逸脱しない範囲の設計変更があっても本発明に含まれる。
例えば、粉砕した遠赤外線放射物質を樹脂層によって保持する方法としては、図６に示すように、外側を樹脂２によってコーティングし、内側に遠赤外線物質（微粒子３）を封入する構成であっても本発明に含まれる。
【図面の簡単な説明】
【００２６】
【図１】爽気石成分一覧を示す図である。
【図２】第１実施例に係る遠赤外線放射体の一部切断斜視図である。
【図３】遠赤外線放射体の使用方法を示す説明図である。
【図４】第２実施例に係る遠赤外線放射体の一部切断斜視図である。
【図５】第３実施例に係る遠赤外線放射体の一部切断斜視図である。
【図６】他の実施例に係る遠赤外線放射体の一部切断斜視図である。
【符号の説明】
【００２７】
１  遠赤外線放射体
２  樹脂
３  微粒子
４  収容部
５  ベルト
６  面ファスナー
７  遠赤外線放射体
８  金属薄膜層
９  遠赤外線放射体
１０  面状発熱部
【図１】
0003143067.tif 000003
【図２】
0003143067.tif 000004
【図３】
0003143067.tif 000005
【図４】
0003143067.tif 000006
【図５】
0003143067.tif 000007
【図６】
0003143067.tif 000008
【手続補正書】
【提出日】平成20年4月18日(2008.4.18)
【手続補正１】
【補正対象書類名】実用新案登録請求の範囲
【補正対象項目名】全文
【補正方法】変更
【補正の内容】
【実用新案登録請求の範囲】
【請求項１】
遠赤外線放射物質を樹脂層に含有させて平板状としたことを特徴とする遠赤外線放射体。
【請求項２】
樹脂層の一面側に金属薄膜層を配置したことを特徴とする請求項１記載の遠赤外線放射体。
【請求項３】
樹脂層の一面側に面状発熱部を配置したことを特徴とする請求項１又は２記載の遠赤外線放射体。
【請求項４】
樹脂層に導電性を有する遠赤外線放射物質を混合して電気的抵抗体とし、荷電により発熱する機能を付与したことを特徴とする請求項１，２又は３記載の遠赤外線放射体。
【請求項５】
遠赤外線放射物質を１００〜３００メッシュの粒径に粉砕し、その粉砕した微粒子の混合割合を樹脂層重量の７０〜９０重量％としたことを特徴とする請求項１、２、３又は４記載の遠赤外線放射体。
【請求項６】
金属薄膜層として、金、銀、銅、アルミニウム、ニッケル、クロム、鉄、亜鉛、鉛、の内いずれか一種、またはこれらの合金を使用することを特徴とする請求項２記載の遠赤外線放射体。
【手続補正２】
【補正対象書類名】明細書
【補正対象項目名】全文
【補正方法】変更
【補正の内容】
【考案の詳細な説明】
【技術分野】
【０００１】
本考案は遠赤外線放射体に関する。
【背景技術】
【０００２】
従来、鉱石やセラミックは受熱により遠赤外線を放射することが知られており、この遠赤外線は温熱効果があることから、人体に放射すると、発汗や血行の促進、沈痛作用、代謝促進に効果があることが実証されている。
そして、これら鉱石やセラミックの粉砕微粒子を温熱用具として使用する特開２００３−７０８２２号公報記載の技術が提案されている。
【特許文献１】特開２００３−７０８２２号公報
【考案の開示】
【考案が解決しようとする課題】
【０００３】
しかしながら、前記特開２００３−７０８２２号公報記載の技術は、遠赤外線放射物質を携帯カイロに封入して使用する構成であるため、使用後は廃棄処分とされ、繰り返し利用できない。そのため、経済面または資源有効利用の観点から問題が残る。
また、鉱石やセラミックを粉砕した微粒子を袋に収容する構成であるため、その微粒子が袋の隙間から漏れるおそれがある。この粉漏れを防止するためには、密封するための特別の技術あるいは素材を使用しなければならず、コストを要するという問題があった。
本考案は係る従来の問題点を解決するためになされたものであって、その目的とするところは、細かく粉砕した遠赤外線放射物質を、バインダーとしての樹脂に混合保持させることによって、微粒子の散逸を防止して繰り返し使用可能とした遠赤外線放射体を提供することにある。
【課題を解決するための手段】
【０００４】
上記目的を達成するため、本考案の請求項１記載の遠赤外線放射体では、遠赤外線放射物質を樹脂層に含有させて平板状としたことを特徴とする。
【０００５】
請求項２記載の遠赤外線放射体では、請求項１記載の遠赤外線放射体において、樹脂層の一面側に金属薄膜層を配置したことを特徴とする。
【０００６】
請求項３記載の遠赤外線放射体では、請求項１又は２記載の遠赤外線放射体において、  樹脂層の一面側に面状発熱部を配置したことを特徴とする。
【０００７】
請求項４記載の遠赤外線放射体では、請求項１，２又は３記載の遠赤外線放射体において、樹脂層に導電性を有する遠赤外線放射物質を混合して電気的抵抗体とし、荷電により発熱する機能を付与したことを特徴とする。
【０００８】
請求項５記載の遠赤外線放射体では、請求項１、２、３又は４記載の遠赤外線放射体において、遠赤外線放射物質を１００〜３００メッシュの粒径に粉砕し、その粉砕した微粒子の混合割合を樹脂層重量の７０〜９０重量％としたことを特徴とする。
【０００９】
請求項６記載の遠赤外線放射体では、請求項２記載の遠赤外線放射体において、金属薄膜層として、金、銀、銅、アルミニウム、ニッケル、クロム、鉄、亜鉛、鉛、の内いずれか一種、またはこれらの合金を使用することを特徴とする。
【考案の効果】
【００１０】
本考案の遠赤外線放射体は、遠赤外線を放射する物質を多量に保持するので、人体に当接させることにより、生体組織を活性化し、血行や代謝を改善し、疲労回復、健康増進効果、ストレス解消効果をもたらす。
また、粉砕した微粒子を樹脂層によって保持するので、取り扱いが容易であり、しかも繰り返し利用することができる。
遠赤外線放射物質を樹脂層に含有させて平板状又は成形品とするので、樹脂の柔軟性により肌当たりも良く、人体の表面に確実に密着される。
そして、樹脂層の一面側に金属薄膜層を配置したので、遠赤外線は金属薄膜層に反射して外側に漏れず、人体方向に放射され、体温によって熱を受けた遠赤外線放射物質が人体を効率的に加温する。
【００１１】
樹脂層の一面側に面状発熱部を配置したので、荷電により面状発熱部から発生した熱は遠赤外線放射物質を加熱して、大量の遠赤外線を放射する。
さらに、樹脂層に導電性を有する遠赤外線放射物質を混合して電気的抵抗体とし、荷電により発熱する機能を付与したので、樹脂本体が発熱部となり、遠赤外線放射物質を加熱して、大量の遠赤外線を放射する。
そして、遠赤外線放射物質を１００〜３００メッシュの粒径に粉砕し、その粉砕した微粒子の混合割合を樹脂層重量の７０〜９０重量％としたので、樹脂内に大量の遠赤外線放射物質が含有される。
金属薄膜層としては、金、銀、銅、アルミニウム、ニッケル、クロム、鉄、亜鉛、鉛、の内いずれか一種、またはこれらの合金を使用するので、外側へ遠赤外線が漏れるのを確実に防止して、一面側へのみ遠赤外線が放射される。
【考案を実施するための最良の形態】
【００１２】
以下、図面に基づいて本考案の実施の形態を説明する。
本考案の遠赤外線放射体は、樹脂組成物に遠赤外線放射物質の微粒子を混合したものである。
遠赤外線放射物質とは、熱を受けるとその表面から遠赤外線を放射（輻射）しやすい物質をいう。例えば、セラミックス、炭素、ガラス、金属、天然鉱物等が挙げられ、これらから選ばれる少なくとも一種を好適に用いることができる。
【００１３】
遠赤外線を放射する天然鉱物としては、例えば、石英斑岩、花崗岩、珪石、白土、珪藻土、シリカブラック、パーライト、貢石、ゼオライト、粘土、カオリン、ベントナイト、水酸化マグネシウム、マグネサイト、マグネシア、水酸化カルシウム、石灰石、セッコウ、アパタイト、タルク、かんらん岩、コージェライト、セビオライト、ドロマイト、珪灰石、珪酸ジルコン、長石、赤泥、レンガ等が挙げられる。
【００１４】
遠赤外線セラミックとしては、例えば、酸化アルミニウム、酸化ベリリウム、酸化セリウム、酸化クロム、酸化コバルト、酸化鉄、酸化ニッケル、酸化ケイ素、酸化タンタル、酸化タリウム、酸化チタン、酸化バナジウム、酸化イットリウム、酸化亜鉛、酸化ジルコニウム、酸化マグネシウム、これらの２種以上を含む酸化物、ホウ化アルミニウム、ホウ化バリウム、ホウ化カルシウム、ホウ化セリウム、ホウ化ハフニウム、ホウ化ランタン、ホウ化ストロンチウム、ホウ化イットリウム等のホウ化物、窒化アルミニウム、窒化クロム、窒化ケイ素、窒化チタン等の窒化物、炭化ホウ素、炭化クロム、炭化ハフニウム、炭化モリブデン、炭化ケイ素、炭化タンタル、炭化タリウム、炭化タングステン、炭化イットリウム、炭化ジルコニウム等の炭化物等があげられ、これらからなる群から選ばれる少なくとも１種を好適に用いることができる。好ましくは、酸化アルミニウム、酸化チタン、酸化ジルコニウム、酸化マグネシウム、酸化クロム、酸化コバルト、酸化鉄、酸化ニッケル、酸化ケイ素等の酸化物が挙げられる。より好ましくは、酸化アルミニウム、酸化チタン、酸化ジルコニウム、酸化マグネシウム、酸化クロム、酸化鉄等が挙げられる。
【００１５】
本考案において、樹脂は特に限定されるものでないが、例えば、シリコンゴム、シリコンゴム変性体、シリコン樹脂、シリコン樹脂変性体等、ウレタンゴム、ブタジエンゴム、フッソゴム、フッソゴム変性体、フッソ樹脂、フッソ樹脂変性体等を挙げることができる。また、ラテックスゴム組成物として、スチレンブタジエンラテックス、天然ゴムラテックス、スチレンブタジエンラテックスと天然ゴムラテックス混合物、スチレンブタジエンラテックスと合成ゴムラテックス混合物、合成ゴムラテックスとして、イソプレンラテックス、クロロプレンラテックス、アクリロニトリルラテックス、ポリウレタンラテックス、エチレンプロピレンジエン共重合ラテックス等を用いることができる。
【００１６】
また、ポリオレフィン系ではポリエチレン、ポリプロピレン、ポリエチレン、ポリプロピレン複合体、ポリエチレン・ＥＰＤＭ複合体、ポリエチレン・ブチルゴム複合体、ポリプロピレン・ＥＰＤＭ複合体、ポリプロピレン・ブチルゴム複合体としてのポリエチレン系或いはポリプロピレン系の組成物ならびに架橋発泡組成物を用いることができる。また、ポリエチレン系では、最も好ましくは、メタロセン触媒で重合したポリエチレン弾性体がイオンを増幅するうえで有利である。ポリスチレン系では、ポリスチレン、スチレン・ブタジエン・スチレン共重合体、スチレン・イソプレン・スチレン共重合体、スチレン・ブタジエン・イソプレン・スチレン共重合体、アクリロニトリル・ブタジエン・スチレン共重合体等の組成物、並びに発泡組成物を用いることができる。スチレン系では、最も好ましくは、スチレン・ブタジエン・スチレン共重合体がイオンを増幅するうえで有利である。
【実施例１】
【００１７】
第１実施例に係る遠赤外線放射体は、図１に示す成分組成の爽気石を樹脂層に混合保持させたものである。
爽気石は酸化アルムニウムの含有量が多く、二酸化チタン、酸化カリウム等の微量元素を含有している。
爽気石を１００〜３００メッシュの微粒子にまで粉砕し、その粉砕した微粒子を樹脂基材と混合する。
爽気石の微粒子の混合割合は、全体重量に対して７０〜９０重量％の微粒子が混合されるようにする。例えば、樹脂基材１００重量部に対し、爽気石の微粒子４００重量部を配合する。
微粒子を樹脂基材に混合した後、均一に撹拌し固形化成形する。
形状は図２に示すように、長辺十数ｃｍ、短辺数ｃｍ、厚さ数ｍｍの平板状とする。
尚、形状は人体の当接部位に応じて、湾曲等の加工を施すことも可能である。
本実施例の遠赤外線放射体１は樹脂２内に、８０％前後の多量の遠赤外線放物資（微粒子３）を含有しており、しかも、樹脂特有のゴム状の柔軟性を備えているため、人体に直接接触させることができ、遠赤外線の効果により人体を加熱保温する。
尚、使用に際しては、遠赤外線放射体を直接人体に当接させる他、図３に示すポケット状の収容部４を備えたベルト５に遠赤外線放射体１を収容して、ベルトを腰、背中等に掛け渡して、両端の面ファスナー６を接着させて、必要な部位に装着することも可能である。
【実施例２】
【００１８】
次に、図４は第２実施例に係る遠赤外線放射体７である。
第２実施例に係る遠赤外線放射体７は、第１実施例で説明した樹脂組成物の片面に、金属薄膜層８を積層せしめたものである。かかる金属薄膜層８を形成する金属としては、金、銀、銅、アルミニウム、ニッケル、クロム、鉄、亜鉛、鉛などや、これらの合金などが使用されるが、性能、軽量性の面からアルミニウムが好ましく用いられる。
【００１９】
かかる金属薄膜層８は、樹脂組成物上に箔状にして積層されるが、圧延法により作製された箔を接着剤で貼着してもよいが、蒸着法、メッキ法、スパッタリング法などの薄膜形成方法により樹脂組成物上に被覆してもよい。また、蒸着等法については、一旦、別なシート、例えばフィルムに金属蒸着した後、金属薄膜層を接着剤を介して樹脂表面に転写することもできる。また、樹脂組成物上に箔状にして積層する際、一面側の全面に積層するが、部分的に積層する場合は熱放射率調整の面からシートの面積に対し、５０％以上の比率で形成するのが好ましい。
【００２０】
また金属薄膜層８は、樹脂特有の柔軟な風合いを維持するため、０．０２〜０．１μｍの範囲内の厚さにすることが好ましい。
本実施例の遠赤外線放射体７では、樹脂層を人体に面して当接させ、金属薄膜層８を外側とすることにより、遠赤外線は金属薄膜層８に反射して外側に漏れず、人体方向に放射され、体温によって熱を受けた遠赤外線放射物質が人体を効率的に加温する。
【実施例３】
【００２１】
次に、図５は第３実施例に係る遠赤外線放射体９である。
第３実施例に係る遠赤外線放射体９は、第２実施例で説明した樹脂層と金属薄膜層８との間に面状発熱部１０を配置したものである。
かかる、面状発熱部１０としては和紙・ポリエステル合成紙・グラスウール等のシートに導電性物質をコーティング印刷又は含浸させ、それら印刷又は含浸させたシートを電気的抵抗体として配設したものである。
このシートの両端には電極が接続され、電極に電流を通すと、面状発熱部が電気抵抗となり発熱する。
この際、供給する電圧は２４Ｖ程度の低いものでも温度４０℃〜６０℃に発熱させることができる。
また、電源は一般家庭用電源１００Ｖの高電圧のものから電池（乾電池）、小型バッテリなどの低電圧のものまで幅広く適宜選択して用いることができる。
【００２２】
前記面状発熱部１０は本体の一面側の全面に積層するが、前記電気的抵抗体（シート）を帯状として、所定間隔を開けて、樹脂表面に配設する他、導電性金属線を電気的抵抗体として樹脂表面に配設することも可能である。
本実施例の遠赤外線放射体では、樹脂層を人体に面して当接させ、金属薄膜層８を外側とすることにより、遠赤外線は金属薄膜層に反射して、人体方向に放射されるので、面状発熱部１０によって加熱された遠赤外線放射物質が人体を効率的に加温する。
【実施例４】
【００２３】
第４実施例に係る遠赤外線放射体は、第２実施例で説明した樹脂層に電気的発熱機能を付与したものである。
本実施例における発熱部は、カーボン粉末を合成樹脂液中に分散させたものである。
カーボンは遠赤外線を放射すると共に、導電性を備える物質である。
このカーボン粉末を樹脂層内に混合することにより、樹脂層自体が導電性を備える電気的抵抗体となり、電流を通すことにより発熱する機能を有する。
前記第３実施例と同様に、樹脂層を人体に面して当接させて、樹脂層自体に荷電することにより、発熱部によって加熱された遠赤外線放射物質からの遠赤外線は、金属薄膜層に反射して、人体方向に放射され、人体を効率的に加温する。
尚、前記カーボン粉末としては、この他にカーボン繊維、金属粉末、金属酸化物粉末等の導電性物質を樹脂層内に分散させても同一の作用・効果が得られる。
【００２４】
以上、本考案の面状発熱体を説明してきたが、具体的な構成については、本実施の形態に限られるものではなく、実用新案登録請求の範囲の各請求項に係る考案の要旨を逸脱しない範囲の設計変更があっても本考案に含まれる。
例えば、粉砕した遠赤外線放射物質を樹脂層によって保持する方法としては、図６に示すように、外側を樹脂２によってコーティングし、内側に遠赤外線物質（微粒子３）を封入する構成であっても本考案に含まれる。
【図面の簡単な説明】
【００２５】
【図１】爽気石成分一覧を示す図である。
【図２】第１実施例に係る遠赤外線放射体の一部切断斜視図である。
【図３】遠赤外線放射体の使用方法を示す説明図である。
【図４】第２実施例に係る遠赤外線放射体の一部切断斜視図である。
【図５】第３実施例に係る遠赤外線放射体の一部切断斜視図である。
【図６】他の実施例に係る遠赤外線放射体の一部切断斜視図である。
【符号の説明】
【００２６】
１  遠赤外線放射体
２  樹脂
３  微粒子
４  収容部
５  ベルト
６  面ファスナー
７  遠赤外線放射体
８  金属薄膜層
９  遠赤外線放射体
１０  面状発熱部